【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
動画像データの画面を複数のブロックに分割し、過去または未来の画像を用いて予測画像を生成し、符号化対象の画像と予測画像との差分を符号化する符号化手段を有する動画像符号化装置であって、
前記過去または未来の画像を参照画像として参照し、前記符号化対象のブロックの動きベクトルを探索する動きベクトル探索手段と、
前記符号化手段により行われる符号化の圧縮率を設定する圧縮率設定手段と、
前記圧縮率設定手段が設定する符号化の圧縮率に応じて、前記動きベクトル探索手段で行われる動きベクトルの算出方法を、色差成分の劣化を抑えるように変更するか、または動きベクトル自体の発生符号量を抑えるように変更する算出方法変更手段とを有することを特徴とする動画像符号化装置。
【請求項２】
前記動画像データは輝度信号と色差信号からなり、
前記動きベクトル探索手段は、複数の動きベクトル候補に対して、参照画像内の対応するブロックと、前記符号化対象のブロックとの画素差分値を、輝度信号と色差信号とのそれぞれに対して順次算出し、前記輝度信号の画素差分値に第１の係数を掛けた値と、前記色差信号の画素差分値に第２の係数を掛けた値との和を、前記動きベクトル候補に対するコストとし、前記コストが最小となる動きベクトル候補を前記符号化対象のブロックに対する動きベクトルとして決定するように動作して、前記圧縮率設定手段が設定する圧縮率に応じて、前記第１の係数と前記第２の係数の値を変えることを特徴とする請求項１に記載の動画像符号化装置。
【請求項３】
前記動きベクトル探索手段は、前記算出方法変更手段に従って、前記圧縮率設定手段が設定する圧縮率が高くなると、前記第１の係数に対する前記第２の係数の割合が大きくなるようにすることを特徴とする請求項２に記載の動画像符号化装置。
【請求項４】
前記動きベクトル探索手段は、複数の動きベクトル候補に対して、参照画像内の対応するブロックと、符号化対象のブロックとの画素差分値を順次算出するとともに、前記動きベクトルに対する符号量を算出し、前記画素差分値に第３の係数を掛けた値と、前記動きベクトルに対する符号量に第４の係数を掛けた値との和を前記動きベクトル候補に対するコストとし、前記コストが最小となる動きベクトル候補を符号化対象のブロックに対する動きベクトルとして決定するように動作して、前記圧縮率設定手段が設定する圧縮率に応じて、前記第３の係数と前記第４の係数の値を変えることを特徴とする請求項１に記載の動画像符号化装置。
【請求項５】
前記圧縮率設定手段が設定する圧縮率が高くなると、前記算出方法変更手段に従って、前記第３の係数に対する前記第４の係数の割合が大きくなるようにすることを特徴とする請求項４に記載の動画像符号化装置。
【請求項６】
動画像データの画面を複数のブロックに分割し、過去または未来の画像を用いて予測画像を生成し、符号化対象の画像と予測画像との差分を符号化する符号化工程を有する動画像符号化方法であって、
前記過去または未来の画像を参照画像として参照し、前記符号化対象のブロックの動きベクトルを探索する動きベクトル探索工程と、
前記符号化工程において行われる符号化の圧縮率を設定する圧縮率設定工程と、
前記圧縮率設定工程において設定する符号化の圧縮率に応じて、前記動きベクトル探索工程で行われる動きベクトルの算出方法を、色差成分の劣化を抑えるように変更するか、または動きベクトル自体の発生符号量を抑えるように変更する算出方法変更工程とを有することを特徴とする動画像符号化方法。
【請求項７】
動画像データの画面を複数のブロックに分割し、過去または未来の画像を用いて予測画像を生成し、符号化対象の画像と予測画像との差分を符号化する符号化工程を有する動画像符号化方法の各工程をコンピュータに実行させるプログラムであって、
前記過去または未来の画像を参照画像として参照し、前記符号化対象のブロックの動きベクトルを探索する動きベクトル探索工程と、
前記符号化工程において行われる符号化の圧縮率を設定する圧縮率設定工程と、
前記圧縮率設定工程において設定する符号化の圧縮率に応じて、前記動きベクトル探索工程で行われる動きベクトルの算出方法を、色差成分の劣化を抑えるように変更するか、または動きベクトル自体の発生符号量を抑えるように変更する算出方法変更工程とをコンピュータに実行させることを特徴とするプログラム。
【請求項８】
請求項７に記載のプログラムを記憶したことを特徴とするコンピュータ読み取り可能な記憶媒体。
【手続補正２】
【補正対象書類名】明細書
【補正対象項目名】００１０
【補正方法】変更
【補正の内容】
【００１０】
本発明の動画像符号化装置は、動画像データの画面を複数のブロックに分割し、過去または未来の画像を用いて予測画像を生成し、符号化対象の画像と予測画像との差分を符号化する符号化手段を有する動画像符号化装置であって、前記過去または未来の画像を参照画像として参照し、前記符号化対象のブロックの動きベクトルを探索する動きベクトル探索手段と、前記符号化手段により行われる符号化の圧縮率を設定する圧縮率設定手段と、前記圧縮率設定手段が設定する符号化の圧縮率に応じて、前記動きベクトル探索手段で行われる動きベクトルの算出方法を、色差成分の劣化を抑えるように変更するか、または動きベクトル自体の発生符号量を抑えるように変更する算出方法変更手段とを有することを特徴とする。
【手続補正３】
【補正対象書類名】明細書
【補正対象項目名】００１１
【補正方法】変更
【補正の内容】
【００１１】
本発明の動画像符号化方法は、動画像データの画面を複数のブロックに分割し、過去または未来の画像を用いて予測画像を生成し、符号化対象の画像と予測画像との差分を符号化する符号化工程を有する動画像符号化方法であって、前記過去または未来の画像を参照画像として参照し、前記符号化対象のブロックの動きベクトルを探索する動きベクトル探索工程と、前記符号化工程において行われる符号化の圧縮率を設定する圧縮率設定工程と、前記圧縮率設定工程において設定する符号化の圧縮率に応じて、前記動きベクトル探索工程で行われる動きベクトルの算出方法を、色差成分の劣化を抑えるように変更するか、または動きベクトル自体の発生符号量を抑えるように変更する算出方法変更工程とを有することを特徴とする。
【手続補正４】
【補正対象書類名】明細書
【補正対象項目名】００１２
【補正方法】変更
【補正の内容】
【００１２】
本発明のプログラムは、動画像データの画面を複数のブロックに分割し、過去または未来の画像を用いて予測画像を生成し、符号化対象の画像と予測画像との差分を符号化する符号化工程を有する動画像符号化方法の各工程をコンピュータに実行させるプログラムであって、前記過去または未来の画像を参照画像として参照し、前記符号化対象のブロックの動きベクトルを探索する動きベクトル探索工程と、前記符号化工程において行われる符号化の圧縮率を設定する圧縮率設定工程と、前記圧縮率設定工程において設定する符号化の圧縮率に応じて、前記動きベクトル探索工程で行われる動きベクトルの算出方法を、色差成分の劣化を抑えるように変更するか、または動きベクトル自体の発生符号量を抑えるように変更する算出方法変更工程とをコンピュータに実行させることを特徴とする。